【事件の表示】
　平成１１年特許願第１８５５９９号「無線電話装置」拒絶査定不服審判事件〔平成１３年　１月１９日出願公開、特開２００１−　１６３１４〕について、次のとおり審決する。
【結　論】
　本件審判の請求は、成り立たない。
【理　由】
１　手続の経緯・本願発明
　本願は、平成１１年６月３０日に出願したものであって、平成１８年１２月２１日付けで拒絶査定がなされ、これに対し、平成１９年２月５日に拒絶査定に対する審判請求がなされたものであり、その請求項２に係る発明は、平成１８年９月２９日付けの手続補正により補正された特許請求の範囲の請求項２に記載された事項により特定される次のとおりのものである。（以下、「本願発明」という。）
　「【請求項２】 表示画面を専用表示領域と汎用表示領域に分割し、前記専用表示領域に装置の状態を表示し、前記汎用表示領域に電話番号情報若しくは機能設定情報を表示する表示手段を有する無線電話装置において、
前記専用表示領域の該表示画面上の大きさをユーザが設定できるようにした表示制御手段を具備し、
この表示制御手段は、前記専用表示領域の位置を該表示画面上で設定可能にしたことを特徴とする無線電話装置。」
　
２　引用例
　これに対して、原審における、平成１８年７月２６日付けで通知した拒絶の理由に引用した、平成１１年５月２１日に頒布された「特開平１１−１３６３２３号公報」（以下、「引用例」という。）には、図面とともに以下の記載がある。
　（イ）「【請求項１】　表示部を有する通信端末装置において、
　上記表示部の表示エリアを第１の表示エリアと第２の表示エリアとに分割し、
　上記第１の表示エリアに上書きされるアイコンを表示し、
　上記第２の表示エリアに上書きされないアイコンを表示するようにしたことを特徴とする通信端末装置。
　【請求項２】　請求項１において、
　上記第１の表示エリアは、
　装置の状態を表示する状態表示エリアと、
　上記キーボードから入力される数字または記号を表示する番号表示エリアとを含むことを特徴とする通信端末装置。」（２頁１欄２〜１４行）
　（ロ）「【請求項４】　請求項１において、
　上記第２の表示エリアは、
　受信電界強度を表示する受信電界強度表示と、
　通信可能圏外を表示する圏外表示と、
　時刻を表示する時刻表示と、
　電池の残量を表示する電池表示とを含むことを特徴とする通信端末装置。」（２頁１欄１８〜２４行）
　（ハ）「【０００７】
【発明の実施の形態】以下、この発明の一実施形態について図面を参照して説明する。この発明の一実施形態として図１に携帯電話機１の全体的構成を示す。内部回路は、マイクロコンピュータ構成でなる制御手段としての制御回路２を中心に構成されている。この制御回路２が他の内部回路を制御するようになされている。
【０００８】まず、携帯電話機１が受信状態のとき、アンテナ３は、受信した高周波信号Ｓ１を変復調回路４に送出する。このとき制御回路２は、変復調回路４を介して得た高周波信号Ｓ１に基づいてスピーカ５から呼び出し音を鳴らす。また、変復調回路４は、高周波信号Ｓ１を復調して低周波信号Ｓ２として音声符号化回路６に送出する。音声符号化回路６は、低周波信号Ｓ２を復号して音声信号Ｓ３としてアンプ７に送出する。アンプ７は、音声信号Ｓ３を増幅してスピーカ８から音声として出力する。
【０００９】次に、携帯電話機１が送信状態のとき、マイク９はユーザの音声を拾って音声信号としてアンプ１０に送出する。アンプ１０は、ユーザの音声信号を増幅して音声信号Ｓ４として音声符号化回路６に送出する。音声符号化回路６は、音声信号Ｓ４を符号化して低周波信号Ｓ５として変復調回路４に送出する。変復調回路４は、低周波信号Ｓ５を変調し、高周波信号Ｓ６としてアンテナ３に送出する。アンテナ３は、高周波信号Ｓ６を電波として外部へ送信する。
【００１０】制御回路２は、ＬＣＤ駆動回路１１を駆動させて表示手段としての液晶パネル（以下、ＬＣＤと称する）１２に、記憶手段としてのメモリ１３から表示画面のデータを読み出して表示する。」（２頁２欄３１行〜３頁３欄１０行）
　（ニ）「【００１１】この発明に適用されるＬＣＤ１２の一例を図２に示す。この図２は、第１の表示エリア（可変表示エリアと称する）２１と第２の表示エリア（固定表示エリアと称する）２２とから構成される。可変表示エリア２１には、上書きされるアイコンが表示され、固定表示エリア２２には、上書きされないアイコンが表示される。
【００１２】まず、可変表示エリア２１に表示されるアイコンを説明する。状態表示エリア２３は、この携帯電話機１の状態を表示する。例えば、この状態表示エリア２３には、携帯電話機１の通話中、保留中、呼出中という状態を上書きし、表示する。これらは、状態そのものが変化するため、前の状態を記憶しておく必要性や、同時に表示する場合はありえないため、同じエリアに上書きされる。
【００１３】「シークレット」の表示２４は、メモリ１３に記憶されているデータを見ようとしたときに、暗証番号が設定されている場合、表示される。すなわち、表示２４が表示されている場合、正しい暗証番号をキーボード１４から入力しない限りメモリ１３に記憶されているデータを見ることはできない。または、正しい暗証番号を入力しない限りこの携帯電話機１を使用することができないようにすることもできる。「ホールド」の表示２５は、キーボード１４に配置されているホールドキーが押されると、表示される。この表示２５が表示されると、ホールドキー以外のキーボード１４からの入力が無視される。そして、もう一度ホールドキーが押されるまで、このホールド表示２５の表示は、消滅しない。「モデム」の表示２６は、携帯電話機１がモデムを介して使用されるときに表示する。
【００１４】音量表示エリア２７は、スピーカ５および８から出力される通話時の音量を表示する。暗証番号表示エリア２８は、例えば４桁の暗証番号を入力するような場合、入力されたか否かを１桁ごとに表示する。このとき、実際に入力された数字および記号は表示されず、実際には暗証番号とは関係のない例えば「＊」が表示される。一例として、メモリ１３に記憶されているデータを見ようとするときに、暗証番号を設定することができ、正しい暗証番号が入力されない限りメモリ１３に記憶されているデータを見ることはできない。または、正しい暗証番号を入力しない限りこの携帯電話機１を使用することができないようにすることもできる。
【００１５】番号表示エリア２９は、キーボード１４から入力された数字または記号を表示する。番号表示エリア２９には、例えば電話番号が入力された場合、入力された電話番号が表示され、図４Ｄに示すような数字および記号が入力された場合、入力された数字および記号が表示される。文字表示エリア３０は、文字メッセージが表示される。文字表示エリア３０には、例えば電子メールなどの文字メッセージ、文字メッセージの着信のお知らせなどが表示される。」（３頁３欄１１行〜４欄１１行）
　（ホ）「【００１６】次に、固定表示エリア２２に表示されるアイコンを図３を用いて説明する。受信電界強度表示３１は、受信電界強度を表示する。この受信電界強度表示３１には、受信電界強度が良好な場合、３本の線（縦棒）が表示され、良好でない場合、線の数が減る。
【００１７】「公衆」の表示３２は、携帯電話機１が使用できる圏内にいることを表示する。携帯電話機１が使用できる圏内にいる場合、表示３２は表示され、使用できない圏外にいる場合、表示されない。また、この表示３２が表示されてる場合、この携帯電話機１は、トランシーバーまたは親子電話の子機として使用されていないことを示す。「圏外」表示３３は、携帯電話機１が使用できないことを表示する。すなわち、表示３２とは逆に、携帯電話機１が使用できる場合、表示３３は表示されず、使用できない場合、表示される。
【００１８】電子メール着信表示３４は、電子メールが着信していることを通知する。この電子メール着信表示３４が表示されることによって、電子メールが着信していることを通知する。ＦＡＸ着信表示３５は、ＦＡＸが着信していることを通知する。このＦＡＸ着信表示３５が表示されることによって、ＦＡＸが着信していることを通知する。文字メッセージ着信表示３６は、文字メッセージが着信していることを通知する。この文字メッセージ着信表示３６が表示されることによって、文字メッセージが着信していることを通知する。
【００１９】時刻表示３７は、通常の場合、現在時刻が表示され、通話中の場合、通話時刻が表示される。バイブレータ表示３８は、電話の着信通知を音による通知方法ではなく、バイブレータによる通知方法が現在選択されている場合、表示される。このバイブレータ表示３８が表示されている場合、バイブレータによる通知方法が選択され、表示されていない場合、音による通知方法が選択されている。電池表示３９は、電池の残量を表示する。電池表示３９は、電池の残量が少なくなるに従って、電池の内部の白い部分が増加する。
【００２０】この固定表示エリア２２では、固定アイコンを表示するため、可変表示エリア２１に表示される通話中、保留中などのように、同じ部分に上書きすることができないので、また、それぞれが一度に同時に表示することがあり得るため、全てのアイコンが別々の部分に表示される。」（３頁４欄１２行〜４頁５欄２行）
　上記（ロ）（ホ）の摘記事項より、第２の表示エリア２２には、受信電界強度表示３１、圏外表示３３、電子メール着信表示３４、ＦＡＸ着信表示３５、文字メッセージ着信表示３６、電池表示３９等のアイコンが表示されており、特定のものだけが表示されているので、第２の表示エリア２２は専用で用いられ、第２の表示エリア２２に装置の状態を表示していることが示されているといえる。
　上記（イ）（ニ）の摘記事項より、第１の表示エリア２１には、番号表示エリア２９があり、その番号表示エリア２９には、例えば電話番号が入力された場合、入力された電話番号が表示されているので、第１の表示エリア２１に電話番号情報を表示していることが示されているといえる。また、第１の表示エリア２１には、文字表示エリア３０があり、その文字表示エリア３０には、例えば電子メールなどの文字メッセージ、文字メッセージの着信のお知らせなどが表示されており、第１の表示エリア２１は一つのものを広くいろいろな方面に用いられているので、第１の表示エリア２１は汎用で用いられているといえる。
　上記（ハ）の摘記事項より、制御回路２は、ＬＣＤ駆動回路１１を駆動させて表示手段としての液晶パネル１２に、記憶手段としてのメモリ１３から表示画面のデータを読み出して表示しているので、引用例の携帯電話機１は、液晶パネル１２に表示画面のデータを読み出して表示する制御回路２を具備しているといえる。
　
　したがって、引用例には、
　「表示画面を専用の第２の表示エリア２２と汎用の第１の表示エリア２１に分割し、前記第２の表示エリア２２に装置の状態を表示し、前記第１の表示エリア２１に電話番号情報を表示する液晶パネル１２を有する携帯電話機において、
　液晶パネル１２に表示画面のデータを読み出して表示する制御回路２を具備したことを特徴とする携帯電話機。」の発明（以下、「引用例発明」という。）が開示されているものと認められる。
　
３　対比
　本願発明と引用例発明とを対比する。
　引用例発明の「専用の第２の表示エリア２２」「汎用の第１の表示エリア２１」「液晶パネル１２」「携帯電話機」「制御回路２」は、本願発明の「専用表示領域」「汎用表示領域」「表示手段」「無線電話装置」「表示制御手段」にそれぞれ相当する。
　
　したがって、両者は、「表示画面を専用表示領域と汎用表示領域に分割し、前記専用表示領域に装置の状態を表示し、前記汎用表示領域に電話番号情報を表示する表示手段を有する無線電話装置において、
　表示制御手段を具備した無線電話装置。」である点で一致し、以下の点で相違する。
　
　［相違点１］
　表示制御手段が、本願発明は「前記専用表示領域の該表示画面上の大きさをユーザが設定できるようにした」ものであるのに対し、引用例発明はそのように構成されていない点。
　［相違点２］
　表示制御手段が、本願発明は「前記専用表示領域の位置を該表示画面上で設定可能にした」ものであるのに対し、引用例発明はそのように構成されていない点。
　
４　当審の判断
　［相違点１］［相違点２］について検討する。
　表示画面上で複数の表示領域を表示するシステムにおいて、ユーザが設定した表示領域の大きさに基づいて、表示制御手段が表示領域の表示画面上の大きさを設定できるようにすること、及びユーザが設定した表示領域の位置に基づいて、表示制御手段が表示領域の位置を表示画面上で設定可能にすることは、拒絶理由で提示した特開昭６０−７９３９２号公報やＭｉｃｒｏｓｏｆｔ社のＷｉｎｄｏｗｓ９５等で用いられているように周知技術であるから、その周知技術を引用例発明における専用の第２の表示エリア２２、即ち専用表示領域に適用すると、相違点１の如く表示制御手段が、専用表示領域の表示画面上の大きさをユーザが設定できるようにしたものとなり、相違点２の如く表示制御手段が、専用表示領域の位置を表示画面上で設定可能にしたものとなるので、相違点１及び相違点２に係る構成を採用することは、当業者が容易に想到し得ることである。
　そして、本願発明の作用効果も、引用例発明及び周知技術から当業者が予測できる範囲のものである。
　
５　むすび
　したがって、本願発明は、引用例発明に基づいて、当業者が容易に発明をすることができたものであるので、特許法第２９条第２項の規定により特許を受けることができない。
　よって、結論のとおり審決する。